(57)【特許請求の範囲】
【請求項１】
需要者が変更可能なパラメータおよび前記パラメータについての制約条件の情報を含み、前記制約条件が満たされない場合の保存が制限される昇降機ＢＩＭモデルを記憶するモデル記憶部と、
前記モデル記憶部が記憶する前記昇降機ＢＩＭモデルを取得した需要者から、前記制約条件を満たした前記パラメータの情報が含まれる引合いデータを受け付ける通信部と、
前記通信部が受け付けた前記引合いデータに含まれる前記パラメータに基づいて、前記引合いデータへの応答として前記需要者に送信される回答データを生成する回答生成部と、
を備える昇降機の電子商取引システム。
【請求項２】
需要者が変更可能なパラメータおよび前記パラメータについての制約条件の情報を含み、前記制約条件が満たされない場合の保存が制限される昇降機ＢＩＭモデルを取得した前記需要者から、前記制約条件を満たした前記パラメータの情報が含まれる引合いデータを受け付ける通信部と、
前記通信部が受け付けた前記引合いデータに含まれる前記パラメータに基づいて、前記引合いデータへの応答として前記需要者に送信される回答データを生成する回答生成部と、
を備える昇降機の電子商取引システム。
【請求項３】
前記回答生成部は、前記回答データとして製造仕様書の情報を含むデータを生成する
請求項１または請求項２に記載の昇降機の電子商取引システム。
【請求項４】
前記回答生成部は、前記回答データとして価格見積書の情報を含むデータを生成する
請求項１から請求項３のいずれか一項に記載の昇降機の電子商取引システム。
【請求項５】
前記回答生成部は、前記回答データとして図面の情報を含むデータを生成する
請求項１から請求項４のいずれか一項に記載の昇降機の電子商取引システム。
【請求項６】
前記引合いデータに含まれる前記パラメータに基づいて算出された評価値に基づいて、前記需要者に対する提案を表し前記回答データとともに前記需要者に送信される提案データを生成する提案生成部
を備える請求項１から請求項５のいずれか一項に記載の昇降機の電子商取引システム。
【請求項７】
前記提案生成部は、前記提案データとして、前記引合いデータに含まれる前記パラメータと異なるパラメータの提案を表すデータを生成する
請求項６に記載の昇降機の電子商取引システム。
【請求項８】
前記提案生成部は、前記提案データとして、前記需要者が取得した前記昇降機ＢＩＭモデルと異なる昇降機ＢＩＭモデルの提案を表すデータを生成する
請求項６または請求項７に記載の昇降機の電子商取引システム。
【請求項９】
前記通信部は、前記引合いデータとして前記評価値の要求を含むデータを受け付け、
前記提案生成部は、前記評価値が前記要求を満たす提案データを生成する
請求項６から請求項８のいずれか一項に記載の昇降機の電子商取引システム。
【請求項１０】
前記回答データに含まれる情報を記憶する取引記憶部と、
前記回答データを受信した前記需要者から当該回答データの内容の発注を前記通信部が受け付けるときに、前記取引記憶部が記憶している情報に基づいて受注処理を行う受注処理部と、
を備える請求項１から請求項９のいずれか一項に記載の昇降機の電子商取引システム。
【請求項１１】
需要者の端末装置から接続される供給者側のサーバ装置が、
前記需要者が変更可能なパラメータおよび前記パラメータについての制約条件の情報を含み、前記制約条件が満たされない場合の保存が制限される昇降機ＢＩＭモデルを前記需要者に提供する提供ステップと、
前記提供ステップにおいて前記昇降機ＢＩＭモデルの提供を受けた前記需要者から、前記制約条件を満たした前記パラメータの情報が含まれる引合いデータを受け付ける受付ステップと、
前記受付ステップにおいて受け付けられた前記引合いデータへの応答として前記引合いデータに含まれる前記パラメータに基づいて回答データを生成し、生成した前記回答データを前記需要者に送信する回答ステップと、
を実行する昇降機の電子商取引方法。
【請求項１２】
需要者の端末装置から接続される供給者側のサーバ装置が、
前記需要者が変更可能なパラメータおよび前記パラメータについての制約条件の情報を含み、前記制約条件が満たされない場合の保存が制限される昇降機ＢＩＭモデルを取得した前記需要者から、前記制約条件を満たした前記パラメータの情報が含まれる引合いデータを受け付ける受付ステップと、
前記受付ステップにおいて受け付けられた前記引合いデータへの応答として前記引合いデータに含まれる前記パラメータに基づいて回答データを生成し、生成した前記回答データを前記需要者に送信する回答ステップと、
を実行する昇降機の電子商取引方法。
【請求項１３】
需要者の端末装置から接続される供給者側のサーバ装置に、
前記需要者が変更可能なパラメータおよび前記パラメータについての制約条件の情報を含み、前記制約条件が満たされない場合の保存が制限される昇降機ＢＩＭモデルを前記需要者に提供する提供ステップと、
前記提供ステップにおいて前記昇降機ＢＩＭモデルの提供を受けた前記需要者から、前記制約条件を満たした前記パラメータの情報が含まれる引合いデータを受け付ける受付ステップと、
前記受付ステップにおいて受け付けられた前記引合いデータへの応答として前記引合いデータに含まれる前記パラメータに基づいて回答データを生成し、生成した前記回答データを前記需要者に送信する回答ステップと、
実行させる昇降機の電子商取引プログラム。
【請求項１４】
需要者の端末装置から接続される供給者側のサーバ装置に、
前記需要者が変更可能なパラメータおよび前記パラメータについての制約条件の情報を含み、前記制約条件が満たされない場合の保存が制限される昇降機ＢＩＭモデルを取得した前記需要者から、前記制約条件を満たした前記パラメータの情報が含まれる引合いデータを受け付ける受付ステップと、
前記受付ステップにおいて受け付けられた前記引合いデータへの応答として前記引合いデータに含まれる前記パラメータに基づいて回答データを生成し、生成した前記回答データを前記需要者に送信する回答ステップと、
実行させる昇降機の電子商取引プログラム。
【発明の詳細な説明】
【技術分野】
【０００１】
本発明は、昇降機の電子商取引システム、昇降機の電子商取引方法、および昇降機の電子商取引プログラムに関する。
【背景技術】
【０００２】
特許文献１は、エレベーターのかごのデザイン検討システムの例を開示する。当該システムは、選択されたデザインに基づいて、パースまたは展開図などを生成する。生成されたパースまたは展開図などは、エレベーターの需要者と供給者との間の対人の打合せに用いられる。
【先行技術文献】
【特許文献】
【０００３】
【特許文献１】特開２００６−１４３４０１号公報
【発明の概要】
【発明が解決しようとする課題】
【０００４】
特許文献１は、エレベーターの新設などの際における仕様の確定までのプロセスの例を開示する。ここで、エレベーターなどの昇降機の注文の成立には、仕様の確定が必要となる。このため、特許文献１のプロセスを昇降機の注文に適用する場合に、需要者と供給者との間の対人の打合せが必要になる。
【０００５】
本発明は、このような課題を解決するためになされた。本発明の目的は、需要者と供給者との間で対人の打合せを必要とせずに注文ができる昇降機の電子商取引システム、電子商取引方法、および電子商取引プログラムを提供することである。
【課題を解決するための手段】
【０００６】
本発明に係る昇降機の電子商取引システムは、需要者が変更可能なパラメータおよびパラメータについての制約条件の情報を含み、制約条件が満たされない場合の保存が制限される昇降機ＢＩＭモデルを記憶するモデル記憶部と、モデル記憶部が記憶する昇降機ＢＩＭモデルを取得した需要者から、制約条件を満たしたパラメータの情報が含まれる引合いデータを受け付ける通信部と、通信部が受け付けた引合いデータに含まれるパラメータに基づいて、引合いデータへの応答として需要者に送信される回答データを生成する回答生成部と、を備える。
【０００７】
本発明に係る昇降機の電子商取引システムは、需要者が変更可能なパラメータおよびパラメータについての制約条件の情報を含み、制約条件が満たされない場合の保存が制限される昇降機ＢＩＭモデルを取得した需要者から、制約条件を満たしたパラメータの情報が含まれる引合いデータを受け付ける通信部と、通信部が受け付けた引合いデータに含まれるパラメータに基づいて、引合いデータへの応答として需要者に送信される回答データを生成する回答生成部と、を備える。
【０００８】
本発明に係る昇降機の電子商取引方法は、需要者の端末装置から接続される供給者側のサーバ装置が、需要者が変更可能なパラメータおよびパラメータについての制約条件の情報を含み、制約条件が満たされない場合の保存が制限される昇降機ＢＩＭモデルを需要者に提供する提供ステップと、提供ステップにおいて昇降機ＢＩＭモデルの提供を受けた需要者から、制約条件を満たしたパラメータの情報が含まれる引合いデータを受け付ける受付ステップと、受付ステップにおいて受け付けられた引合いデータへの応答として引合いデータに含まれるパラメータに基づいて回答データを生成し、生成した回答データを需要者に送信する回答ステップと、を実行するものである。
【０００９】
本発明に係る昇降機の電子商取引方法は、需要者の端末装置から接続される供給者側のサーバ装置が、需要者が変更可能なパラメータおよびパラメータについての制約条件の情報を含み、制約条件が満たされない場合の保存が制限される昇降機ＢＩＭモデルを取得した需要者から、制約条件を満たしたパラメータの情報が含まれる引合いデータを受け付ける受付ステップと、受付ステップにおいて受け付けられた引合いデータへの応答として引合いデータに含まれるパラメータに基づいて回答データを生成し、生成した回答データを需要者に送信する回答ステップと、を実行するものである。
【００１０】
本発明に係る昇降機の電子商取引プログラムは、需要者の端末装置から接続される供給者側のサーバ装置に、需要者が変更可能なパラメータおよびパラメータについての制約条件の情報を含み、制約条件が満たされない場合の保存が制限される昇降機ＢＩＭモデルを需要者に提供する提供ステップと、提供ステップにおいて昇降機ＢＩＭモデルの提供を受けた需要者から、制約条件を満たしたパラメータの情報が含まれる引合いデータを受け付ける受付ステップと、受付ステップにおいて受け付けられた引合いデータへの応答として引合いデータに含まれるパラメータに基づいて回答データを生成し、生成した回答データを需要者に送信する回答ステップと、実行させるものである。
【００１１】
本発明に係る昇降機の電子商取引プログラムは、需要者の端末装置から接続される供給者側のサーバ装置に、需要者が変更可能なパラメータおよびパラメータについての制約条件の情報を含み、制約条件が満たされない場合の保存が制限される昇降機ＢＩＭモデルを取得した需要者から、制約条件を満たしたパラメータの情報が含まれる引合いデータを受け付ける受付ステップと、受付ステップにおいて受け付けられた引合いデータへの応答として引合いデータに含まれるパラメータに基づいて回答データを生成し、生成した回答データを需要者に送信する回答ステップと、実行させるものである。
【発明の効果】
【００１２】
本発明に係る電子商取引システム、電子商取引方法、または電子商取引プログラムであれば、需要者と供給者との間で対人の打合せを必要とせずに昇降機の注文ができる。
【図面の簡単な説明】
【００１３】
【図１】実施の形態１に係る電子商取引システムの構成図である。
【図２】実施の形態１に係る電子商取引システムの動作の例を示すフロー図である。
【図３】実施の形態１に係る電子商取引システムの主要部のハードウェア構成図である。
【発明を実施するための形態】
【００１４】
本発明を実施するための形態について添付の図面を参照しながら説明する。各図において、同一または相当する部分には同一の符号を付して、重複する説明は適宜に簡略化または省略する。
【００１５】
実施の形態１．
図１は、実施の形態１に係る電子商取引システムの構成図である。
【００１６】
電子商取引システム１は、昇降機の取引を電子的に行うシステムである。ここで、昇降機は、例えば昇降路を昇降するかごによって乗客を輸送するエレベーターである。電子商取引システム１において、昇降機の取引は、需要者および供給者の間において行われる。昇降機の需要者は、例えば昇降機が設けられる建築物の設計業者などである。昇降機の供給者は、例えば建築物に適用される昇降機の設備の製造業者などである。
【００１７】
この例において、需要者は、ＢＩＭシステム（ＢＩＭ：Ｂｕｉｌｄｉｎｇ  Ｉｎｆｏｒｍａｔｉｏｎ  Ｍｏｄｅｌｉｎｇ）によって建築物の設計を行う。需要者は、例えばＢＩＭシステムに対応するＣＡＤソフトウェア（ＣＡＤ：Ｃｏｍｐｕｔｅｒ−Ａｉｄｅｄ  Ｄｅｓｉｇｎ）などを用いて設計を行う。ＢＩＭシステムにおいて、建築物の情報を含むデータである統合ＢＩＭモデルは、例えば建築物の設計などに関わる複数の業者に共有される。ここで、複数の業者は、例えば建築物の設計業者、および昇降機などの建築物の個々の設備の製造業者などを含む。統合ＢＩＭモデルが含む建築物の情報は、例えば建築物および設備の３次元形状のデータ、各部分の部品および材料などの製造仕様のデータ、各部分の重量、強度および機能などの性能のデータ、ならびに施工時期などの業者の間の調整のデータなどを含む。この点において、統合ＢＩＭモデルの構築は、例えばデータ上における建築物の仮想的な建築に対応する。ＢＩＭシステムにおいて、例えば統合ＢＩＭモデルに基づいて建築物の各部分の関連性および整合性の確認が可能である。
【００１８】
統合ＢＩＭモデルは、例えば複数のＢＩＭモデルを組み合わせて構築される。ＢＩＭモデルは、ＢＩＭシステムのプロジェクトに追加される建築物の要素のデータである。複数のＢＩＭモデルは、例えば建築ＢＩＭモデル、および昇降機ＢＩＭモデルを含む。建築ＢＩＭモデルは、例えば建築物の構造材などの建築物自体の情報を含むデータである。昇降機ＢＩＭモデルは、昇降機の情報を含むデータである。
【００１９】
昇降機ＢＩＭモデルは、昇降機についての複数のパラメータの情報を含む。パラメータは、例えば数値、真偽値、または複数の項目から選択される選択肢などの値である。昇降機についての複数のパラメータは、例えば昇降機の機種、かごの速度、かごの積載容量、各部分の寸法、電気オプション、および意匠仕様などを含む。各部分の寸法は、かごの幅、奥行き、および高さ、かごが停止する階床の間隔、ならびに複数のかごが設けられる場合のかごの間の間隔などであってもよい。複数のパラメータの一部または全部は、ＢＩＭシステムにおいて需要者が変更可能であるように設定される。
【００２０】
昇降機ＢＩＭモデルは、パラメータについての制約条件の情報をメタデータとして含む。パラメータについての制約条件は、例えば数値パラメータに対する範囲などを含む。パラメータについての制約条件は、複数のパラメータの間の条件であってもよい。パラメータについての制約条件は、例えば複数の選択肢パラメータに対する組み合わせの可否、複数の数値パラメータに対する条件式などを含んでもよい。昇降機のパラメータについての制約条件は、例えばかごの定格速度または最高速度の範囲、積載容量の範囲、電源電圧の変動の範囲などであってもよい。昇降機のパラメータについての制約条件は、建築物の構造材などとの間の条件であってもよい。昇降機のパラメータについての制約条件は、例えば昇降路の壁面または昇降路に配置される構造物と、昇降路におけるかごとの間のクリアランスを確保する条件であってもよい。制約条件は、昇降機に関する法規制などに基づく制約を含んでもよい。制約条件は、昇降機の仕様上の制約を含んでもよい。
【００２１】
ＢＩＭシステムにおいて、昇降機ＢＩＭモデルが含むメタデータに基づいて、パラメータが制約条件を満たしているかの確認ができる。例えばＢＩＭシステムに対応するＣＡＤソフトウェアは、需要者が昇降機ＢＩＭモデルのパラメータを変更する場合に、パラメータが制約条件を満たしているかの確認を行う。パラメータの確認は、パラメータが変更される度に行われてもよい。あるいは、パラメータの確認は、複数のパラメータが変更された後にまとめて行われてもよい。このため、需要者は、昇降機の専門知識を有していなくても、制約条件を満たすように昇降機ＢＩＭモデルのパラメータを建築物に合わせて変更できる。すなわち、需要者は、メタデータを含む昇降機ＢＩＭモデルの提供を昇降機の供給者などから受ければ、需要者自身で昇降機ＢＩＭモデルを建築ＢＩＭモデルに組み込んで統合ＢＩＭモデルとすることができる。需要者は、電子商取引システム１を通じて、昇降機ＢＩＭモデルの提供を受ける。
【００２２】
この例において、同一の昇降機について、供給者が利用する昇降機ＢＩＭモデルと、需要者に提供される昇降機ＢＩＭモデルと、の２種類の昇降機ＢＩＭモデルが供給者によって用意される。供給者が利用する昇降機ＢＩＭモデルは、昇降機の製造に十分な情報を含むように、需要者に提供される昇降機ＢＩＭモデルより詳細なデータである。供給者が利用する昇降機ＢＩＭモデルは、例えばノウハウなどの非公開の情報を含んでいてもよい。供給者が利用する昇降機ＢＩＭモデルは、秘匿されるデータである。需要者に提供される昇降機ＢＩＭモデルは、通信の負荷を低減しうるように需要者には不要な情報が削減された、供給者が利用する昇降機ＢＩＭモデルより軽量なデータである。需要者に提供される昇降機ＢＩＭモデルは、公開されるデータである。
【００２３】
昇降機の需要者は、端末装置２によって昇降機の電子商取引システム１を利用する。端末装置２は、昇降機の需要者が利用する情報端末である。端末装置２は、例えばパーソナルコンピュータである。端末装置２はネットワーク３に接続される。ネットワーク３は、例えばインターネットである。端末装置２は、第１通信部４と、第１ＢＩＭ処理部５と、を備える。第１通信部４は、ネットワーク３を通じてデータの通信を行う部分である。第１ＢＩＭ処理部５は、ＢＩＭシステムの処理を行う部分である。第１ＢＩＭ処理部５は、例えばＢＩＭシステムに対応するＣＡＤソフトウェアなどを動作させる部分である。
【００２４】
電子商取引システム１は、サーバ装置６を備える。サーバ装置６は、供給者が所有する装置、供給者によって設けられる装置、供給者が管理する装置、あるいは供給者が利用する装置のいずれであってもよい。この点において、サーバ装置６は、供給者側の装置である。サーバ装置６は、例えば一台のサーバコンピュータである。あるいは、サーバ装置６は、複数のサーバコンピュータなどによって構成されていてもよい。あるいは、サーバ装置６は、例えばクラウドサービスなどによって構成される仮想的なサーバであってもよい。サーバ装置６は、ネットワーク３に接続される。サーバ装置６は、第２通信部７と、回答生成部８と、提案生成部９と、インターフェイス部１０と、記憶部１１と、受注処理部１２と、を備える。
【００２５】
第２通信部７は、ネットワーク３を通じて通信を行う部分である。第２通信部７は、端末装置２の第１通信部４との間のインターフェイスである。第２通信部７は、電子商取引システム１の通信部の例である。
【００２６】
第２通信部７は、例えば、Ｗｅｂサーバの機能を搭載していてもよい。この場合に、第２通信部７は、例えば電子商取引のＷｅｂサイトのＷｅｂページを生成する。第１通信部４は、Ｗｅｂクライアントの機能を搭載していてもよい。第２通信部７は、例えば電子商取引のＷｅｂサイトを通じて、昇降機ＢＩＭモデルを第１通信部４に送信する。第１通信部４は、例えば電子商取引のＷｅｂサイトを通じて、引合いデータを第２通信部７に送信する。引合いデータは、昇降機の取引の引合いを表すデータである。引合いデータは、例えば、受注可否回答依頼、見積もり依頼、図面作成依頼、または製造仕様書作成依頼などを含んでもよい。引合いデータは、昇降機ＢＩＭモデルのパラメータの情報を含む。引合いデータは、昇降機ＢＩＭモデルからエクスポートされたパラメータのセット、または昇降機ＢＩＭモデルそのものをパラメータの情報として含んでもよい。
【００２７】
第２通信部７は、例えば、メールサーバの機能を搭載していてもよい。第１通信部４は、メールクライアントの機能を搭載していてもよい。この場合に、第２通信部７は、例えば電子メールによって回答データを第１通信部４に送信する。回答データは、昇降機の取引の引合いへの回答を表すデータである。回答データは、例えば、受注可否の回答、見積もり書、図面、または製造仕様書などの情報を含んでもよい。あるいは、第２通信部７は、電子商取引のＷｅｂサイトを通じて、回答データを第１通信部４に送信してもよい。
【００２８】
回答生成部８は、引合いデータへの応答として回答データを生成する部分である。回答生成部８は、制御部１３と、第２ＢＩＭ処理部１４と、を備える。制御部１３は、回答データの生成に関する演算処理などを行う部分である。制御部１３は、パラメータ取得部１５と、製造仕様生成部１６と、見積もり生成部１７と、図面生成部１８と、を備える。パラメータ取得部１５は、第２通信部７が受け付けた引合いデータに含まれるパラメータを取得する部分である。製造仕様生成部１６は、取得されたパラメータに基づいて、製造仕様データを生成する部分である。製造仕様データは、昇降機の製造についての仕様を表すデータである。製造仕様データは、例えば昇降機の部品のリスト、製造工程のリストなどを含む。製造仕様データは、製造仕様書の情報を含むデータの例である。見積もり生成部１７は、取得されたパラメータに基づいて、見積もりデータを生成する部分である。見積もりデータは、昇降機の価格を表すデータである。見積もりデータは、例えば昇降機の価格の内訳を含んでもよい。見積もりデータは、価格見積書の情報を含むデータの例である。図面生成部１８は、取得されたパラメータに基づいて、図面データを生成する部分である。図面データは、昇降機の取引における承認図面、建築物の許認可に用いられる申請図面などの図面を表すデータである。図面データが表す図面は、例えば平面図または構造詳細図などの２次元の図面などである。図面データは、図面の情報を含むデータの例である。第２ＢＩＭ処理部１４は、ＢＩＭシステムの処理を行う部分である。第２ＢＩＭ処理部１４は、例えばＢＩＭシステムに対応するＣＡＤソフトウェアなどを動作させる部分である。この例において、図面生成部１８は、例えば第２ＢＩＭ処理部１４におけるＢＩＭシステムの処理によって、パラメータまたは昇降機ＢＩＭモデルなどに基づく図面データを生成する。
【００２９】
提案生成部９は、提案データを生成する部分である。提案データは、需要者に対する提案を表すデータである。提案データは、昇降機ＢＩＭモデルのパラメータのセット、または昇降機ＢＩＭモデルそのものを含んでもよい。
【００３０】
インターフェイス部１０は、サーバ装置６の各部分の間で通信を仲介するインターフェイスである。インターフェイス部１０は、例えばサーバ装置６のうちのフロントエンドとバックエンドとの間で通信を仲介する。フロントエンドは、昇降路の取引に関して需要者と供給者との間で行われる情報の交換などに関する部分である。フロントエンドは、例えば第２通信部７、回答生成部８、および提案生成部９を含む。バックエンドは、昇降機の製造または設計などについて供給者が保有する情報などに関する部分である。バックエンドは、例えば記憶部１１および受注処理部１２を含む。なお、サーバ装置６の部分の一部または全部は、インターフェイス部１０を介さずに直接通信してもよい。サーバ装置６が複数の装置によって構築される場合に、インターフェイス部１０は、例えばネットワーク３を通じて通信を仲介してもよい。
【００３１】
記憶部１１は、昇降機の電子商取引に関する情報を記憶する部分である。記憶部１１は、取引記憶部１９と、モデル記憶部２０と、マスタ記憶部２１と、を備える。取引記憶部１９は、顧客情報ＤＢ２２（ＤＢ：ＤａｔａＢａｓｅ）の情報を記憶する部分である。顧客情報ＤＢ２２は、昇降路の取引に関して需要者と供給者との間で交換される情報などを格納するデータベースである。モデル記憶部２０は、需要者用モデルＤＢ２３の情報を記憶する部分である。需要者用モデルＤＢ２３は、需要者に提供される昇降機ＢＩＭモデルなどを格納するデータベースである。マスタ記憶部２１は、供給者用モデルＤＢ２４と、製造仕様マスタＤＢ２５と、価格マスタＤＢ２６と、の情報を記憶する部分である。供給者用モデルＤＢ２４は、供給者が利用する昇降機ＢＩＭモデルなどを格納するデータベースである。製造仕様マスタＤＢ２５は、供給者が利用する昇降機ＢＩＭモデルに対応する部品および工程などの製造仕様の情報を格納するデータベースである。価格マスタＤＢ２６は、部品などの材料費、および工程の工費などの価格の情報を格納するデータベースである。
【００３２】
受注処理部１２は、需要者からの昇降機の発注に対して受注処理を行う部分である。受注処理は、例えば売報の生成、製造仕様データおよび図面の製造工場への送信などを含む。
【００３３】
サーバ装置６の第２通信部７、回答生成部８、提案生成部９、インターフェイス部１０、記憶部１１、および受注処理部１２などの各機能は、例えばサーバ装置６にインストールされている電子商取引プログラムに基づいて実行される。
【００３４】
続いて、図２を用いて、電子商取引システム１による昇降機の取引の例を説明する。
図２は、実施の形態１に係る電子商取引システム１の動作の例を示すフロー図である。
【００３５】
需要者は、端末装置２を利用して、電子商取引のＷｅｂサイトにアクセスする。ステップＳ１１において、端末装置２の第１通信部４は、需要者の操作によって、昇降機ＢＩＭモデルのダウンロードを第２通信部７に要求する。ステップＳ２１において、第２通信部７は、要求された昇降機ＢＩＭモデルを需要者用モデルＤＢ２３から取得する。第２通信部７は、取得した昇降機ＢＩＭモデルを第１通信部４に送信する。このようにして、第１通信部４は、昇降機ＢＩＭモデルをダウンロードする。ステップＳ２１におけるサーバ装置６の動作は、提供ステップにおける動作の例である。
【００３６】
次に、ステップＳ１２において、第１ＢＩＭ処理部５は、需要者の操作によって、昇降機ＢＩＭモデルのパラメータを建築物の設計の状況に合わせて変更する。続いて、ステップＳ１３において、第１ＢＩＭ処理部５は、需要者の操作によって、昇降機ＢＩＭモデルを建築ＢＩＭモデルに組み込んで統合ＢＩＭモデルとする。続いて、ステップＳ１４において、第１ＢＩＭ処理部５は、需要者の操作によってパラメータが変更されたときに、昇降機ＢＩＭモデルが含むメタデータに基づいてパラメータが制約条件を満たしているかを確認する。第１ＢＩＭ処理部５は、パラメータが制約条件を満たしていない場合に、例えば需要者に対して警告を表示する。あるいは、第１ＢＩＭ処理部５は、パラメータが制約条件を満たしていない場合に、パラメータが変更された昇降機ＢＩＭモデルを含む統合ＢＩＭモデルの保存を制限してもよい。ステップＳ１２からステップＳ１４は、必要に応じて繰り返して調整されてもよい。
【００３７】
次に、ステップＳ１５において、第１通信部４は、需要者の操作によって、変更された昇降機ＢＩＭモデルのパラメータをサーバ装置６にアップロードする。第１通信部４は、例えば昇降機ＢＩＭモデルからエクスポートされたパラメータのセットのファイルをアップロードする。パラメータのセットのファイルは、引合いデータの例である。ここで、引合いデータに含まれるパラメータは、制約条件を満たすことがＢＩＭシステムにおいて需要者によって確認されている。
【００３８】
次に、ステップＳ２２において、第２通信部７は、引合いデータを受け付ける。第２通信部７は、引合いデータに固有の受付番号を付与する。回答生成部８のパラメータ取得部１５は、引合いデータからパラメータを取得する。回答生成部８は、取得したパラメータを受付番号に関連付けて顧客情報ＤＢ２２に格納する。ステップＳ２２におけるサーバ装置６の動作は、受付ステップにおける動作の例である。
【００３９】
次に、ステップＳ２３において、製造仕様生成部１６は、パラメータ取得部１５が取得したパラメータに基づいて、製造手配用の製造仕様データを生成する。製造手配用の製造仕様データは、昇降機の製造が可能な程度に詳細な情報を含む製造仕様データである。製造手配用の製造仕様データは、例えば供給者が手配する部品および材料などのリスト、ならびに供給者が実施する工程のリストなどを含む。製造仕様生成部１６は、取得されたパラメータに対応する昇降機ＢＩＭモデルを、供給者用モデルＤＢ２４から取得する。製造仕様生成部１６は、取得した昇降機ＢＩＭモデルのパラメータを、引合いデータから取得されたパラメータに合わせて設定する。製造仕様生成部１６は、設定した昇降機ＢＩＭモデルに対応する部品および工程などの製造仕様の情報を、製造仕様マスタＤＢ２５から取得する。昇降機ＢＩＭモデルが昇降機の部品などのＢＩＭパーツを含む場合に、製造仕様生成部１６は、ＢＩＭパーツに対応する製造仕様の情報を製造仕様マスタＤＢ２５から取得してもよい。このように、製造仕様生成部１６は、製造手配用の製造仕様データを生成する。製造仕様データは、工期の情報を含んでもよい。製造仕様生成部１６は、生成した製造手配用の製造仕様データを引合いデータの受付番号に関連付けて顧客情報ＤＢ２２に格納する。製造仕様生成部１６は、製造手配用の製造仕様データから需要者に不要な情報を省いた提出用の製造仕様データを生成してもよい。
【００４０】
次に、ステップＳ２４において、見積もり生成部１７は、パラメータ取得部１５が取得したパラメータに基づいて、見積もりデータを生成する。見積もり生成部１７は、例えばパラメータに基づいて生成された製造手配用の製造仕様データを参照して、見積もりデータを生成する。見積もり生成部１７は、参照する製造仕様データに含まれる部品および工程などの価格の情報を価格マスタＤＢ２６から取得する。見積もり生成部１７は、取得した価格を積算することで、見積もりデータを生成する。見積もり生成部１７は、生成した見積もりデータを引合いデータの受付番号に関連付けて顧客情報ＤＢ２２に格納する。
【００４１】
次に、ステップＳ２５において、図面生成部１８は、パラメータ取得部１５が取得したパラメータに基づいて、図面データを生成する。図面生成部１８は、例えば製造仕様生成部１６がパラメータを設定した昇降機ＢＩＭモデルに基づいて、第２ＢＩＭ処理部１４におけるＢＩＭシステムの処理によって図面データを生成する。図面生成部１８は、生成した図面データを引合いデータの受付番号に関連付けて顧客情報ＤＢ２２に格納する。
【００４２】
次に、ステップＳ２６において、提案生成部９は、例えば次のように提案データを生成する。提案生成部９は、例えば製造仕様生成部１６がパラメータを設定した昇降機ＢＩＭモデルに基づいて、当該パラメータに対応する昇降機の評価値を算出する。評価値は、例えば昇降機の価格、工期、消費電力、または乗客の輸送量の推定値などであってもよい。評価値が価格または工期などの回答生成部８によって算出される値である場合に、提案生成部９は、評価値を回答生成部８から取得してもよい。提案生成部９は、複数の値の組み合わせによって評価値を算出してもよい。提案生成部９は、評価値について、改善の方向を記憶する。例えば評価値が価格である場合に、価格が下がる方向が改善の方向である。例えば評価値が輸送量の推定値である場合に、推定値が上がる方向が改善の方向である。提案生成部９は、例えば昇降機ＢＩＭモデルのパラメータを変更することによって評価値が改善する場合に、変更したパラメータの情報を提案データとして生成する。あるいは、提案生成部９は、例えば引合いデータが表す昇降機と互換な昇降機の昇降機ＢＩＭモデルが存在する場合に、当該昇降機ＢＩＭモデルの情報を提案データとして生成してもよい。提案生成部９は、複数の提案を含む提案データを生成してもよい。提案生成部９は、生成した提案データを引合いデータの受付番号に関連付けて顧客情報ＤＢ２２に格納する。
【００４３】
次に、ステップＳ２７において、回答生成部８は、引合いデータが受け付けられてから生成されたデータをまとめて回答データを生成する。回答生成部８は、例えば提出用の製造仕様データ、見積もりデータ、および図面データをまとめて回答データを生成する。第２通信部７は、生成された回答データを第１通信部４に送信する。第２通信部７は、提案生成部９が生成した提案データを回答データとともに第１通信部４に送信してもよい。ステップＳ２３からステップＳ２７におけるサーバ装置６の動作は、回答ステップにおける動作の例である。
【００４４】
次に、ステップＳ１６において、端末装置２は、第１通信部４が第２通信部７から受信したデータを表示する。需要者は、表示されたデータによって、引合いへの回答を確認する。需要者は、回答の内容で昇降機を発注するか否かを判断する。需要者は、昇降機を発注すると判断する場合に、発注操作を行う。端末装置２の第１通信部４は、需要者の発注操作によって、発注の情報を第２通信部７に送信する。ここで、発注の情報は、例えば引合いデータの受付番号などの引合いを特定できる情報である。その後、電子商取引システム１の動作は、ステップＳ２８に進む。一方、需要者は、昇降機を発注しないと判断する場合に、ステップＳ１２に戻って昇降機ＢＩＭモデルのパラメータを調整する。このとき、需要者は、提案データの内容を参照してパラメータを変更してもよい。
【００４５】
ステップＳ２８において、第２通信部７は、第１通信部４から送信された発注の情報を受け付ける。続いて、ステップＳ２９において、第２通信部７は、受注処理部１２に製造着手指示を送信する。続いて、ステップＳ３０において、受注処理部１２は、受注処理を行う。受注処理部１２は、受注処理として売報のデータを生成する。受注処理部１２は、生成した売報のデータを受付番号に関連付けて顧客情報ＤＢ２２に格納する。また、受注処理部１２は、受付番号に関連づけられている製造手配用の製造仕様データおよび図面データを顧客情報ＤＢ２２から取得する。受注処理部１２は、所得した製造仕様データおよび図面データを、製造工場に送信する。その後、電子商取引システム１における昇降機の取引の処理は終了する。
【００４６】
以上に説明したように、実施の形態１に係る電子商取引システム１は、モデル記憶部２０と、第２通信部７と、回答生成部８と、を備える。モデル記憶部２０は、昇降機ＢＩＭモデルを記憶する。昇降機ＢＩＭモデルは、パラメータおよびパラメータについての制約条件の情報を含む。パラメータは、需要者が変更できる。第２通信部７は、モデル記憶部２０が記憶する昇降機ＢＩＭモデルを取得した需要者から、引合いデータを受け付ける。引合いデータは、制約条件を満たしたパラメータの情報を含む。回答生成部８は、第２通信部７が受け付けた引合いデータに含まれるパラメータに基づいて、回答データを生成する。回答データは、引合いデータへの応答として需要者に送信される。
また、実施の形態１に係る電子商取引方法は、需要者の端末装置２から接続される供給者側のサーバ装置６が、提供ステップと、受付ステップと、回答ステップと、を実行する方法である。提供ステップは、昇降機ＢＩＭモデルを需要者に提供するステップである。受付ステップは、提供ステップにおいて昇降機ＢＩＭモデルの提供を受けた需要者から、引合いデータを受け付けるステップである。回答ステップは、受付ステップにおいて受け付けられた引合いデータへの応答として回答データを生成し、生成した回答データを需要者に送信するステップである。回答ステップにおいて、回答データは、引合いデータに含まれるパラメータに基づいて生成される。
また、実施の形態１に係る電子商取引プログラムは、需要者の端末装置２から接続される供給者側のサーバ装置６に、提供ステップと、受付ステップと、回答ステップと、を実行させるプログラムである。
【００４７】
昇降機の製造などにあたって、昇降機は、製造上、法規制上、または仕様上などの制約条件を満たすように設計することが求められる。ここで、電子商取引システム１において、制約条件の情報を含んだ昇降機ＢＩＭモデルが需要者に提供される。このため、需要者は、昇降機の専門知識を有していなくても、制約条件を満たすように昇降機ＢＩＭモデルのパラメータを建築物に合わせて変更できる。ＢＩＭシステムによって、パラメータが制約条件を満たすことが確認されるので、需要者から供給者に送信される引合いデータが含むパラメータは、昇降機の制約条件を満たす。このため、制約条件を満たすように昇降機のパラメータを設定するために、専門知識を有する供給者が参加する対人の打合せが必要とされない。また、引合いデータが含むパラメータに基づいて自動的に生成される回答データによって、需要者は、昇降機を発注するか否かを判断できる。これにより、需要者と供給者との間で対人の打合せを必要とせずに昇降機の注文ができる。
【００４８】
また、回答生成部８は、回答データとして、製造仕様書、価格見積書、および図面の情報の情報を含むデータを生成する。
【００４９】
昇降機ＢＩＭモデルは、データ上において仮想的に製造された昇降機に相当する。このため、パラメータが設定された昇降機ＢＩＭモデルに基づいて、具体的な取引文書が生成できる。これにより、需要者は、引合いデータへの応答として具体的な取引文書を含む回答データを得ることができる。このため、需要者は、詳細な内容を決定する対人の打合せなどを必要とせずに昇降機の注文ができる。なお、この例において、回答生成部８が、製造仕様書の情報、価格見積書の情報、および図面の情報を含むデータを回答データとして生成する場合について説明したが、回答生成部８は、製造仕様書の情報、価格見積書の情報、および図面の情報のいずれか１つまたは２以上の情報を含むデータを回答データとして生成するようにしてもよい。
【００５０】
また、電子商取引システム１は、提案生成部９を備える。提案生成部９は、評価値に基づいて提案データを生成する。評価値は、引合いデータに含まれるパラメータに基づいて算出される。提案データは、需要者に対する提案を表すデータである。提案データは、回答データとともに需要者に送信される。
【００５１】
これにより、需要者は、提案データが表す昇降機と自身が設定した昇降機とを比較できる。このため、需要者は、より希望に沿う昇降機を注文する機会を得られる。なお、電子商取引システム１は、提案生成部９を含まなくてもよい。需要者は、自身が設定した昇降機と他の昇降機とを比較する手間を省くことができる。
【００５２】
また、提案生成部９は、提案データとして、引合いデータに含まれるパラメータと異なるパラメータの提案を表すデータを生成する。
また、提案生成部９は、提案データとして、需要者が取得した昇降機ＢＩＭモデルと異なる昇降機ＢＩＭモデルの提案を表すデータを生成する。
【００５３】
提案データは、昇降機ＢＩＭモデルとして建築ＢＩＭモデルに組み込みうる形式で提案を含む。このため、需要者は、提案された昇降機と自身が設定した昇降機とを容易に比較できる。
【００５４】
また、電子商取引システム１は、取引記憶部１９と、受注処理部１２と、を備える。取引記憶部１９は、回答データに含まれる情報を記憶する。受注処理部１２は、回答データを受信した需要者から当該回答データの内容の発注を第２通信部７が受け付けるときに、取引記憶部１９が記憶している情報に基づいて受注処理を行う。
【００５５】
これにより、需要者と供給者との間で対人の打合せを必要とせずに昇降機の製造が速やかに着手される。このため、発注から納入までのリードタイムが短縮される。また、対人の打合せに係る費用などが低減される。
【００５６】
なお、引合いデータは、要求データを含んでもよい。要求データは、提案生成部９の提案に用いられる評価値に対する要求を含むデータである。評価値に対する要求は、例えば昇降機の価格に対する上限、または工期に対する期限などである。提案生成部９は、パラメータの変更などによって要求を満たす評価値の提案を生成できるときに、当該提案を含む提案データを生成する。これにより、需要者は、評価値に対する要望に基づいて、より希望に沿った昇降機の提案を得られる。
【００５７】
また、需要者は、取得した昇降機ＢＩＭモデルがパラメータを変更することなく建築ＢＩＭモデルに組み込める場合に、パラメータを変更せずに引合いデータをアップロードしてもよい。
【００５８】
また、需要者は、端末装置２においてＢＩＭシステムを動作させなくてもよい。需要者は、ＢＩＭサーバにおいて動作するＢＩＭシステムを例えば端末装置２からネットワーク３を通じて利用してもよい。ここで、ＢＩＭサーバは、例えばＢＩＭシステムを提供する事業者などが運用するサーバ装置または仮想的なサーバである。このとき、昇降機ＢＩＭモデルは、例えばサーバ装置６からＢＩＭサーバへの送信によって需要者に提供されてもよい。また、需要者は、ＢＩＭサーバにおいて昇降機ＢＩＭモデルのパラメータを設定する。また、需要者は、設定したパラメータが制約条件を満たしているかをＢＩＭサーバにおいて確認する。
【００５９】
また、サーバ装置６は、モデル記憶部２０を有していなくてもよい。このとき、需要者は、例えばＢＩＭシステムを提供する事業者またはその他の事業者などが提供する昇降機ＢＩＭモデルのデータベースなどから昇降機ＢＩＭモデルを取得してもよい。ここで、当該データベースに格納されている昇降機ＢＩＭモデルは、例えば昇降機の供給者からデータベースを運用する事業者などに提供される。あるいは、需要者は、昇降機ＢＩＭモデルをオフラインで取得してもよい。需要者は、例えば展示会などのイベントで配布される記憶媒体、またはカタログに添付される記憶媒体などから昇降機ＢＩＭモデルを取得してもよい。
【００６０】
また、昇降機は、小荷物専用の昇降機であってもよい。あるいは、昇降機は、エスカレーターまたは動く歩道などの乗客コンベアであってもよい。
【００６１】
続いて、図３を用いて、電子商取引システム１のハードウェア構成の例について説明する。
図３は、実施の形態１に係る電子商取引システム１の主要部のハードウェア構成図である。
【００６２】
電子商取引システム１の各機能は、処理回路により実現し得る。処理回路は、少なくとも１つのプロセッサ１ｂと少なくとも１つのメモリ１ｃとを備える。処理回路は、プロセッサ１ｂおよびメモリ１ｃと共に、あるいはそれらの代用として、少なくとも１つの専用のハードウェア１ａを備えてもよい。
【００６３】
処理回路がプロセッサ１ｂとメモリ１ｃとを備える場合、電子商取引システム１の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１ｃに格納される。プロセッサ１ｂは、メモリ１ｃに記憶されたプログラムを読み出して実行することにより、電子商取引システム１の各機能を実現する。
【００６４】
プロセッサ１ｂは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１ｃは、例えば、ＲＡＭ、ＲＯＭ、フラッシュメモリ、ＥＰＲＯＭ、ＥＥＰＲＯＭなどの、不揮発性または揮発性の半導体メモリなどにより構成される。
【００６５】
処理回路が専用のハードウェア１ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【００６６】
電子商取引システム１の各機能は、それぞれ処理回路で実現することができる。あるいは、電子商取引システム１の各機能は、まとめて処理回路で実現することもできる。電子商取引システム１の各機能について、一部を専用のハードウェア１ａで実現し、他部をソフトウェアまたはファームウェアで実現してもよい。このように、処理回路は、ハードウェア１ａ、ソフトウェア、ファームウェア、またはこれらの組み合わせで電子商取引システム１の各機能を実現する。
【符号の説明】
【００６７】
１  電子商取引システム、  ２  端末装置、  ３  ネットワーク、  ４  第１通信部、  ５  第１ＢＩＭ処理部、  ６  サーバ装置、  ７  第２通信部、  ８  回答生成部、  ９  提案生成部、  １０  インターフェイス部、  １１  記憶部、  １２  受注処理部、  １３  制御部、  １４  第２ＢＩＭ処理部、  １５  パラメータ取得部、  １６  製造仕様生成部、  １７  見積もり生成部、  １８  図面生成部、  １９  取引記憶部、  ２０  モデル記憶部、  ２１  マスタ記憶部、  ２２  顧客情報ＤＢ、  ２３  需要者用モデルＤＢ、  ２４  供給者用モデルＤＢ、  ２５  製造仕様マスタＤＢ、  ２６  価格マスタＤＢ、  １ａ  ハードウェア、  １ｂ  プロセッサ、  １ｃ  メモリ
【図１】
0006950762.tif 000002
【図２】
0006950762.tif 000003
【図３】
0006950762.tif 000004